(57)【要約】【課題】時間外利用の居室を考慮に入れた巡回警備に好適な巡回ルートを作成することができる警備支援システムの提供。【解決手段】複数の居室のうちに時間外の利用終了予定時刻の申請がなされた居室が存在するビル内を、警備員５Ｄが巡回警備する際の巡回ルートを作成する警備支援システムであって、ビルを監視する監視室５に、時間外の利用終了予定時刻の申請がなされていない居室のみを巡回する第１巡回ルートと、この第１巡回ルートに応じた巡回警備の後の利用終了予定時刻に基づいて決められた巡回開始予定時刻に、利用終了予定時刻の申請がなされた居室を巡回警備する第２巡回ルートとを作成する処理を行う制御部５Ａを備えた構成にしてある。【選択図】図１
2017097421.tif 000002
【特許請求の範囲】
【請求項１】
複数の居室のうちに時間外の利用終了予定時刻の申請がなされた居室が存在するビル内を、警備員が巡回警備する際の巡回ルートを作成する警備支援システムであって、
前記ビルを監視する監視室に、前記利用終了予定時刻の申請がなされていない居室のみを巡回する第１巡回ルートと、この第１巡回ルートに応じた巡回警備の後の前記利用終了予定時刻に基づいて決められた巡回開始予定時刻に、前記利用終了予定時刻の申請がなされた居室を巡回警備する第２巡回ルートとを作成する処理を行う制御部を備えたことを特徴とする警備支援システム。
【請求項２】
請求項１に記載の警備支援システムにおいて、
前記制御部は、前記利用終了予定時刻の申請が複数の居室からなされたとき、最も遅い前記利用終了予定時刻に基づいて、前記巡回開始予定時刻を設定する処理を行うことを特徴とする警備支援システム。
【請求項３】
請求項２に記載の警備支援システムにおいて、
前記監視室に、
前記利用終了予定時刻が入力される監視卓と、
前記監視卓の入力操作に応じた前記制御部の処理により、前記利用終了予定時刻の申請がなされた居室を特定する事項と、前記利用終了予定時刻と、前記巡回開始予定時刻とが記録されるデータベーステーブルを有するデータベースサーバとを備えたことを特徴とする警備支援システム。
【請求項４】
請求項３に記載の警備支援システムにおいて、
前記データベースサーバは、巡回警備の作業性を考慮した閾値が記録される閾値データベーステーブルを備え、
前記制御部は、前記閾値データベーステーブルに記録された閾値に基づいて、前記第１巡回ルート及び前記第２巡回ルートの作成処理を行うことを特徴とする警備支援システム。
【請求項５】
請求項４に記載の警備支援システムにおいて、
前記監視室に、前記第１巡回ルート及び前記第２巡回ルートを印刷するプリンターを備えたことを特徴とする警備支援システム。
【発明の詳細な説明】
【技術分野】
【０００１】
本発明は、警備員によるビルの居室の巡回警備を支援する警備支援システムに関する。
【背景技術】
【０００２】
従来、特許文献１に、ビルの各テナントが退出する際に、キーホルダーボックスにテナントキーが差し込まれると、警備システムが「警戒」となり、自動的に施錠確認がなされ、同時に不要な電気設備の電源スイッチが切られる構成が開示されている。しかし、このように自動的に施錠確認がなされるテナントを有するビルであっても、防犯、防災等のために、自動的に施錠確認がなされた後に警備員がビル内を巡回警備して目視確認することが必要となっている。
【０００３】
特許文献２に、警備員の巡回警備を支援する巡回警備支援システムが開示されている。この従来技術は、安全性の高い巡回警備を実施するために、オフィスビル内で働く社員の位置情報に基づいて、警備員の巡回ルートの決定に有用な巡回ルート決定支援情報を作成するものである。
【先行技術文献】
【特許文献】
【０００４】
【特許文献１】特開昭５９−４１０９９号公報
【特許文献２】特開２００６−３３８０９３号公報
【発明の概要】
【発明が解決しようとする課題】
【０００５】
ところでビルによっては居室の利用に際し、予め決められた定常時間を過ぎても居室を利用する場合に、警備部門に利用終了予定時刻を明記した時間外の居室利用申請を行なうことを義務付けられているビルがある。このようなビルにあっては、時間外に利用される居室も含めて、どのようなルートで各居室を巡回警備すれば効率の良い巡回警備を実現できるかが課題となる。
【０００６】
なお、前述した特許文献２に開示された巡回警備支援システムでは、オフィスビルの各居室の時間外利用も含めた巡回ルート決定支援情報の作成については、考慮がなされていない。
【０００７】
上記課題を解決するために、本発明の目的は、時間外利用の居室を考慮に入れた巡回警備に好適な巡回ルートを作成することができる警備支援システムを提供することにある。
【課題を解決するための手段】
【０００８】
上記課題を解決するために、本発明に係る警備支援システムは、複数の居室のうちに時間外の利用終了予定時刻の申請がなされた居室が存在するビル内を、警備員が巡回警備する際の巡回ルートを作成する警備支援システムであって、前記ビルを監視する監視室に、前記利用終了予定時刻の申請がなされていない居室のみを巡回する第１巡回ルートと、この第１巡回ルートに応じた巡回警備の後の前記利用終了予定時刻に基づいて決められた巡回開始予定時刻に、前記利用終了予定時刻の申請がなされた居室を巡回警備する第２巡回ルートとを作成する処理を行う制御部を備えたことを特徴としている。
【発明の効果】
【０００９】
本発明に係る警備支援システムによれば、制御部によって時間外利用の居室を考慮に入れた巡回警備に好適な巡回ルートを作成することができる。本発明は、作成された第１巡回ルート及び第２巡回ルートに従って警備員がビル内の各居室を巡回警備することにより、時間外の居室がビル内に存在する場合の効率の良い巡回警備を実現させることができる。前述した以外の課題、構成及び効果は、以下の実施形態の説明により明らかにされる。
【図面の簡単な説明】
【００１０】
【図１】本発明に係る警備支援システムの一実施形態の全体構成を示す図である。
【図２】本実施形態に備えられるデータベースサーバに設定される閾値データベーステーブルを示す図である。
【図３】本実施形態に備えられるテータベースサーバに設定されるデータベーステーブルにおける第１記録例を示す図である。
【図４】本実施形態に備えられるテータベースサーバに設定されるデータベーステーブルにおける第２記録例を示す図である。
【図５】本実施形態の処理手順を示すフローチャートである。
【発明を実施するための形態】
【００１１】
以下、本発明に係る警備支援システムの実施の形態を図面に基づいて説明する。
【００１２】
図１に示すように、本実施形態に係る警備支援システムが適用されるビルは、例えば階床数の多い高層ビルであり、各階に複数の居室１，２を有している。図１，２では説明を容易にするために、２つの居室１，２のみを代表的に描いてある。
【００１３】
居室１，２のそれぞれには、所定の場所に防犯・防災に関連する異常を感知する防犯・防災感知器１Ａ，２Ａ、各居室１，２の施錠確認センサ１Ｂ，２Ｂ、及び電気設備の電源スイッチ１Ｃ，２Ｃが設置されている。防犯・防災感知器１Ａ，２Ａ、施錠確認センサ１Ｂ，２Ｂ、及び電源スイッチ１Ｃ，２Ｃは直列に接続されている。
【００１４】
ビル内の機械室３に設置された監視盤３Ａは、居室１，２に設置された防犯・防災感知器１Ａ，２Ａ、及び居室１，２のキーを保管、管理するキーボックス４と接続されている。
【００１５】
キーボックス４と監視盤３Ａは、各居室１，２のキーの所在を電気的に確認するものであり、キーボックス４内にキーを差し込むと、自動的に該当する居室１，２の利用状況が後述のように「警戒」と設定される。
【００１６】
例えば、居室１の最終退出者が施錠を行ない、キーボックス４の居室に対応する箇所にキーを差し込むと、施錠確認センサ１ＢがＯＮとなる。また、この施錠確認センサ１ＢのＯＮ動作と同時に、居室１の利用状況が「警戒」に設定され、居室１に設置されている電気設備の電源スイッチ１Ｃが自動的に切られる。
【００１７】
本実施形態が適用されるビルは、居室１，２の利用に際し、予め決められた定常時間、例えば１８時を過ぎて居室１，２を利用する場合には、警備部門例えば警備員５Ｄに利用終了予定時刻を明記した時間外の居室利用申請を行うことが義務付けられている。
【００１８】
本実施形態に係る警備支援システムは、このように複数の居室１，２のうちに、終了予定時刻の申請がなされた居室が存在するビル内を、警備員５Ｄが、居室の施錠状態、居室の不要な電気設備の作動、不審者の侵入の有無の目視確認のために、巡回警備する際の巡回ルートを監視室５の制御部５Ａが作成するものである。
【００１９】
すなわち本実施形態は、ビル内に設けられた監視室５に、利用終了予定時刻の申請がなされていない居室のみを巡回する第１巡回ルートと、この第１巡回ルートに応じた巡回警備の後の前述した利用終了予定時刻に基づいて決められた巡回開始予定時刻に、利用終了予定時刻の申請がなされた居室を巡回警備する第２巡回ルートとを作成する処理を行う制御部５Ａを備えている。
【００２０】
時間外の利用終了予定時刻の申請が複数の居室からあったときには、例えば最も遅い利用終了予定時刻に基づいて、制御部５Ａは巡回開始予定時刻を設定する処理を行う。
【００２１】
また、本実施形態は、監視室５に、時間外の利用終了予定時刻を入力する監視卓５Ｂを備えている。
【００２２】
また、本実施形態は、監視卓５Ｂの入力操作に応じた制御部５Ａの処理により、定常時刻内における居室の最終退出者の施錠後に、時間外の利用終了予定時刻の申請がなされない居室を特定する事項、例えば前述した「警戒」の文言と、利用終了予定時刻の申請がなされた居室を特定する事項、例えば「使用中」の文言と、利用終了予定時刻と、この利用終了予定時刻に基づいて制御部５Ａの処理により設定された巡回開始予定時刻とが記録されるデータベーステーブル７を有するデータベースサーバ５Ｃを備えている。
【００２３】
図３，４に示すデータベーステーブル７は、居室名称欄７Ａ、階を特定する階情報欄７Ｂ、居室の利用状況が前述した「使用中」か「警戒」かを示す利用状況欄７Ｃ、日付欄７Ｄ、申請された利用終了予定時刻を示す利用終了予定時刻欄７Ｅ、利用終了予定時刻に基づいて制御部５Ａの処理により設定された警備員５Ｄの巡回開始予定時刻を示す巡回開始予定時刻欄７Ｆとを有している。
【００２４】
なお、既に時間外の利用終了予定時刻の申請がなされている居室から、さらに居室の退出が遅くなる利用終了予定時刻の申請がなされたときには、警備員５Ｄが監視卓５Ｂで新たな利用終了予定時刻を入力することにより、制御部５Ａの処理でデータベーステーブル７の該当する利用終了予定時刻欄７Ｅの利用終了予定時刻が更新される。
【００２５】
また、本実施形態は、データベースサーバ５Ｃが、巡回警備の作業性を考慮に入れた閾値、例えば居室数が多くて巡回警備が煩雑になりやすい階の場合に設定される閾値「１」、居室数が少なくて巡回警備が比較的簡単な階の場合に設定される閾値「０」のいずれかが記録される図２に示す閾値データベーステーブル６を備えている。本実施形態にあっては、例えば１階の閾値を「１」、その他の階の閾値を「０」と決めてある。
【００２６】
制御部５Ａは、閾値データベーステーブル６に記録された閾値「１」あるいは「０」に基づいて、前述した第１巡回ルート及び第２巡回ルートの作成処理を行う。
【００２７】
図２に示すように、閾値データベーステーブル６は、階を特定する階情報欄６Ａと、閾値が記録される閾値欄６Ｂとを有している。
【００２８】
また、本実施形態は、図示しないが監視室５に、作成された第１巡回ルート及び第２巡回ルートを印刷するプリンターを備えている。
【００２９】
次に、図５に基づいて、前述のように構成した本実施形態の処理手順について説明する。
【００３０】
ステップＳ１：予め警備員５Ｄは、監視卓５Ｂにてビルの各階毎の閾値を入力する。今は例えば、１階の閾値を「１」、他の階の閾値を「０」と入力する。次にステップＳ２に進む。
【００３１】
ステップＳ２：居室からの時間外の利用終了予定時刻の申請に基づいて、警備員５Ｄは監視卓５Ｂにて該当する居室の利用終了予定時刻を入力する。この利用終了予定時刻が制御部５Ａの処理によりデータベーステーブル７の利用終了予定時刻欄７Ｅに記録される。次にステップＳ３に進む。
【００３２】
なお、定常時刻内に最終利用者の退出が行われる居室については、利用終了予定時刻は記録されない。これに伴い、例えば全階の居室の利用者が定常時刻内に退出する場合には、警備員５Ｄは定常時刻の経過後に、例えば最上階から最下階までの全階の居室を巡回警備すればよく、特別に巡回警備のルートを作成することは要しない。
【００３３】
ステップＳ３：制御部５Ａは、所定階においてデータベーステーブル７の利用状況欄７Ｃが「使用中」となっている居室数をカウントする。次にステップＳ４に進む。
【００３４】
ステップＳ４：前述の所定階についてステップＳ３でカウントした居室数と、該当する所定階の閾値とを比較する。次にステップＳ５に進む。
【００３５】
ステップＳ５：制御部５Ａは、全階に対してステップＳ１〜Ｓ４の処理が実行されたかどうか判断する。処理が実行されていない階が存在すればステップＳ１に戻る。全階に対する処理が実行されていればステップＳ６に進む。
【００３６】
ステップＳ６：制御部５Ａは、前述した「使用中」の居室数が閾値を超えた階があるかどうか判断する。
【００３７】
例えば図３に示すように、「使用中」の居室数が１階に１つのみ存在するときには、１階の閾値は「１」であることから、制御部５Ａの判断はノーとなり、ステップＳ７に進む。
【００３８】
また、例えば図４に示すように、「使用中」の居室数が１階に１つ、７階に２つ存在するときには、７階の閾値は「０」であることから、制御部５Ａの判断はイエスとなり、ステップＳ１０へ進む。
【００３９】
ステップＳ７：制御部５Ａは、定常時刻の経過後に、例えば最上階から最下階まで巡回警備する第１巡回ルート（巡回ルート１）を作成する。次にステップＳ８に進む。
【００４０】
ステップＳ８：制御部５Ａは、図３に示すデータベーステーブル７の１階の利用終了予定時刻（２１：００）に基づいて、１階の「使用中」の居室の巡回開始時刻（２１：００）を設定し、データベーステーブル７の巡回開始予定時刻欄７Ｆに記録させる処理を行う。次にステップＳ９に進む。
【００４１】
ステップＳ９：制御部５Ａは、データベーステーブル７に記録された巡回開始予定時刻に、１階の「使用中」となっていた居室を巡回警備する第２巡回ルート（巡回ルート２）を作成する。今の場合、第２巡回ルートは、１階の「使用中」となっていた居室を含めた１階のフロア全体を警備巡回するルートとなる。
【００４２】
一方、ステップＳ６でイエスと判断されたときには、
ステップＳ１０：制御部５Ａは、閾値を超えた階を除外して、定常時刻の経過後に例えば最上階から最下階まで巡回警備する第１巡回ルート（巡回ルート１´）を作成する。今の場合は、「使用中」の居室が存在する１階と、閾値を超えた階である７階が巡回警備から除外される。次にステップＳ１１に進む。
【００４３】
ステップＳ１１：制御部５Ａは、データベーステーブル７の利用終了予定時刻のうちの最も遅い図４に示す７階の居室「０７０２」の利用終了予定時刻（２１：３０）に基づいて、「使用中」の居室の巡回開始予定時刻（２１：３０）を設定し、データベーステーブル７の巡回開始予定時刻欄７Ｆに記録させる処理を行う。次にステップＳ１２に進む。
【００４４】
ステップＳ１２：制御部５Ａは、データベーステーブル７に記録された巡回開始予定時刻に、「使用中」となっていた居室を含む階全体を、巡回警備する第２巡回ルート（巡回ルート２´）を作成する。今の場合第２巡回ルートは、１階の「使用中」となっていた居室を含む１階のフロア全体と、７階の「使用中」となっていた居室を含む７階のフロア全体を巡回警備するルートとなる。
【００４５】
前述したステップＳ９及びステップＳ１２の次は、ステップＳ１３に進む。  
ステップＳ１３：制御部５Ａの処理により、図示しないプリンターによって定常時刻内の最終利用者の退出により「警戒」となった居室を含む該当する階のフロア全体を巡回警備する前述の第１巡回ルート、及び「使用中」となっていた居室を含む該当する階のフロア全体を巡回警備する前述の第２巡回ルートを印刷する。次にステップＳ１４に進む。
【００４６】
ステップＳ１４：警備員５Ｄは、図示しないプリンターによって印刷された第１巡回ルート及び第２巡回ルートに従ってビルの全居室、及び各階のフロア全体を巡回警備する。
【００４７】
なお、居室から最終利用者が退出し居室の施錠がなされた後、再び該当する居室の利用者から時間外の利用終了予定時刻の申請がなされて、利用者が該当する居室に再入室する場合には、警備員５Ｄは、監視卓５Ｂによって再入室する利用者が申請した利用終了予定時刻を入力する。これにより制御部５Ａは、データベーステーブル７の利用状況欄７Ｃを「警戒」から「使用中」に変更させる処理を行う。また制御部５Ａは、入力された利用終了予定時刻をデータベーステーブル７の利用終了予定時刻欄７Ｅに記録させる処理を行うと共に、利用終了予定時刻に基づいて巡回開始予定時刻を新たに設定し、巡回開始予定時刻欄７Ｆに記録させる処理を行う。
【００４８】
したがって、このような居室の再利用が生じた場合には、新たに設定された巡回開始予定時刻に、警備員５Ｄは、再び該当する居室を巡回警備する。この場合、巡回開始予定時刻欄７Ｆに記録された巡回開始予定時刻よりも遅い巡回開始予定時刻が巡回開始予定時刻欄７Ｆに既に記録されている場合には、第２巡回ルートに、巡回警備する階として前述の該当する居室、及びこの居室が含まれる階のフロア全体も追加する処理がなされ、図示しないプリンターによって修正した第２巡回ルートを印刷することが行われる。したがって警備員５Ｄは、修正された第２巡回ルートに応じて巡回警備を行う。
【００４９】
このように構成した本実施形態によれば、制御部５Ａは、定常時刻内に最終利用者の退出が行われた各居室を巡回警備する第１ルートと、この第１ルートに応じた巡回警備後に、時間外にも利用されていた居室を巡回警備する第２ルートを作成するようにしたので、時間外利用の居室を考慮に入れた巡回警備に好適な巡回ルートを作成することができる。
【００５０】
したがって本実施形態は、制御部５Ａによって作成された第１巡回ルート及び第２巡回ルートに応じて警備員５Ｄがビル内の各居室を巡回警備することにより、時間外利用の居室がビル内に存在する場合の効率の良い巡回警備を実現させることができる。
【００５１】
本発明は前述した実施形態に限定されず、本発明の要旨を逸脱しない範囲で種々の変形が可能であり、特許請求の範囲に記載された技術思想に含まれる技術的事項の全てが本発明の対象となる。前述した実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００５２】
１・・居室，１Ａ，２Ａ・・防犯・防災感知器，１Ｂ，２Ｂ・・施錠確認センサ，１Ｃ，２Ｃ・・電源スイッチ，５・・監視室，５Ａ・・制御部，５Ｂ・・監視卓，５Ｃ・・データベースサーバ、５Ｄ・・警備員，６・・閾値データベーステーブル，６Ａ・・階情報欄，６Ｂ・・閾値欄，７・・データベーステーブル，７Ａ・・居室名欄，７Ｂ・・階情報欄，７Ｃ・・利用状況欄，７Ｄ・・日付欄，７Ｅ・・利用終了予定時刻欄，７Ｆ・・巡回開始予定時刻欄
【図１】
2017097421.tif 000003
【図２】
2017097421.tif 000004
【図３】
2017097421.tif 000005
【図４】
2017097421.tif 000006
【図５】
2017097421.tif 000007